(57)【要約】      （修正有）【課題】導線を設置層の粗い表面に設置することにより、導線を脱落しないように、安定的に基板に配線できる静電容量式タッチパネルを提供する。【解決手段】基板１０と、粗い表面を備える設置層２０と、複数の導線３０とを有し、その内、該設置層は、該基板に形成されると共に、２つの検知ユニット２１，２２及び分布区域２３を有し、その内、該２つの検知ユニットはそれぞれ、異なる軸方向を有し、交差するように設置されると共に、複数の検知点２１０，２２０を備え、該複数の導線は、該分布区域に形成され、且つ対応する検知ユニットの検知点に電気接続されるものである。【選択図】図１
0003171702.tif 000002
【実用新案登録請求の範囲】
【請求項１】
基板と、粗い表面を備える設置層と、複数の導線とを有し、
前記設置層は、前記基板に形成されると共に、２つの検知ユニット及び分布区域を有し、その内、該２つの検知ユニットはそれぞれ、異なる軸方向を有し、交差するように設置されると共に、複数の検知点を備え、
前記複数の導線は、前記分布区域に形成され、且つ対応する検知ユニットの検知点に電気接続されることを特徴とする静電容量式タッチパネル。
【請求項２】
前記設置層における検知ユニット及び分布区域が酸化インジウムスズ（ＩＴＯ）で構成されることを特徴とする請求項１に記載の静電容量式タッチパネル。
【請求項３】
基板と、粗い表面を備える第一設置層と、粗い表面を備える第二設置層と、導線とを有し、
前記第一設置層は、前記基板の一側に形成されると共に、検知ユニット及び分布区域を有し、該検知ユニットは、軸方向を有すると共に、複数の検知点を備え、
前記第二設置層は、前記基板の他側に形成されると共に、検知ユニット及び分布区域を有し、該検知ユニットは、他の軸方向を有すると共に、複数の検知点を備え、
前記複数の導線はそれぞれ、設置層の分布区域に設置され、対応する検知ユニットに電気接続されることを特徴とする静電容量式タッチパネル。
【請求項４】
前記第一設置層における検知ユニット及び分布区域が酸化インジウムスズ（ＩＴＯ）で構成されることを特徴とする請求項３に記載の静電容量式タッチパネル。
【請求項５】
前記第二設置層における検知ユニット及び分布区域が酸化インジウムスズ（ＩＴＯ）で構成されることを特徴とする請求項３に記載の静電容量式タッチパネル。
【請求項６】
前記第一設置層及び第二設置層における検知ユニットはそれぞれ、異なる軸方向を有すると共に、交差するように設置されることを特徴とする請求項３乃至５の何れか１項に記載の静電容量式タッチパネル。
【請求項７】
前記第一設置層の検知ユニットと第二設置層の検知ユニットは、一致する軸方向を有すると共に、互いに完全に重層されることを特徴とする請求項３乃至５の何れか１項に記載の静電容量式タッチパネル。
【請求項８】
２つの基板と、第一設置層と、第二設置層と、複数の導線とを有し、
前記第一設置層は、前記１つの基板に形成され、検知ユニット及び分布区域を有し、該検知ユニットは、軸方向を有すると共に、複数の検知点を備え、
前記第二設置層は、前記他の基板に形成され、検知ユニット及び分布区域を有し、該検知ユニットは、他の方向を有すると共に、複数の検知点を備え、
前記複数の導線は、対応する前記設置層の分布区域に設置され、且つ対応する前記検知ユニットの検知点に電気接続されることを特徴とする静電容量式タッチパネル。
【請求項９】
前記第一設置層の検知ユニット及び分布区域が酸化インジウムスズ（ＩＴＯ）で構成されることを特徴とする請求項８に記載の静電容量式タッチパネル。
【請求項１０】
前記第二設置層の検知ユニット及び分布区域が酸化インジウムスズ（ＩＴＯ）で構成されることを特徴とする請求項８に記載の静電容量式タッチパネル。
【請求項１１】
前記第一設置層及び第二設置層における検知ユニットはそれぞれ、異なる軸方向を有すると共に、交差するように設置されることを特徴とする請求項８乃至１０の何れか１項に記載の静電容量式タッチパネル。
【請求項１２】
第一設置層の検知ユニットと第二設置層の検知ユニットは、一致する軸方向を有すると共に、互いに完全に重層されることを特徴とする請求項８乃至１０の何れか１項に記載の静電容量式タッチパネル。
【請求項１３】
前記２つの設置層の間に絶縁層が設置されることを特徴とする請求項８乃至１０の何れか１項に記載の静電容量式タッチパネル。
【請求項１４】
前記２つの設置層の間に絶縁層が設置されることを特徴とする請求項１１項に記載の静電容量式タッチパネル。
【請求項１５】
前記２つの設置層の間に絶縁層が設置されることを特徴とする請求項１２項に記載の静電容量式タッチパネル。
【考案の詳細な説明】
【技術分野】
【０００１】
本考案は、特に導線を設置層の粗い表面に設置することにより、該導線を脱落しないように、安定的に基板に配線する静電容量式タッチパネルに関するものである。
【背景技術】
【０００２】
従来のタッチパネルには、静電容量式（ｃａｐａｃｉｔｉｖｅ）や、抵抗膜式（ｒｅｓｉｓｔｉｖｅ）、表面弾性波式（ｓｕｒｆａｃｅ  ａｃｏｕｓｔｉｃ  ｗａｖｅ）、光学式（ｏｐｔｉｃａｌ）などを有し、その内、静電容量式のタッチパネルは、塵埃が積もるのを防ぐと共に、耐火性を有し、傷が付きにくく、透明度が優れるなどの利点を有する。また、基板に傷が付かないようにするために、外層に硬化膜層（ｈａｒｄ  ｃｏａｔ  ｌａｙｅｒ）を設けられることにより、基板を保護する効果もある。
【０００３】
また、前記従来の静電容量式タッチパネルは、一般公衆への適用範囲が広く、例えば、金融や保険、情報公開、ゲームなどの関連機器に適用され、その静電容量式タッチパネルには、表面型（ｓｕｒｆａｃｅ-ｃａｐａｃｉｔｉｖｅ）と投影型(ｐｒｏｊｅｃｔｅｄ-ｃａｐａｃｉｔｉｖｅ)の２種類があり、そのうち投射型は、多点を感知できるので、指先のタップ（指先で軽くたたく）や、スクロール（画面を上下又は左右へ動かす）、二本の指でのピンチイン・ピンチアウト（画面の拡大或いは縮小）、回転（画面の回転）などを操作することができるので、ＡＶ製品やスマートフォンなどに広く適用されている。
【０００４】
一方、投射型の静電容量式タッチパネルは、セルフキャパシタンス型（Ｓｅｌｆ  Ｃａｐａｃｉｔａｎｃｅ）と相互キャパシタンス型（Ｍｕｔｕａｌ  Ｃａｐａｃｉｔａｎｃｅ）を有する。
【０００５】
前記セルフキャパシタンス型は、軸交差式（ａｘｉｓ  ｉｎｔｅｒｓｅｃｔ）として知られ、単層或いは二層の基板を備えるものであり、その単層の基板は、表面に異なる軸方向を有する酸化インジウムスズ（Ｉｎｄｉｕｍ  Ｔｉｎ  Ｏｘｉｄｅ）の検知点がそれぞれ交差するように設置されるものであり、一方、二層の基板は、２つの基板にそれぞれ異なる軸方向を有する酸化インジウムスズ（ＩＴＯ）の検知点が交差するように設置されると共に、互いに面するように重ねられ、その検知点がそれぞれ導線に接続されるものである。
【０００６】
また、前記相互キャパシタンス型は、全検知点のアドレス指定可能式（ａｌｌ  ｐｏｉｎｔｓ  ａｄｄｒｅｓｓａｂｌｅ，  ＡＰＡ）として知られ、二層の基板を備えるものであり、そのタッチパネルは、２つの基板にそれぞれ、異なる軸方向を備えると共に、サイズが同一の、対応するＩＴＯの検知点が完全に重層され、その検知点がそれぞれ導線に接続されるものである。
【０００７】
さらに、従来の静電容量式タッチパネルにおける導線は、スパッタリング、或いは溶射を用いて基板に形成されるものである。
【考案の概要】
【考案が解決しようとする課題】
【０００８】
現在のタッチパネルは、今後、操作が多様化すると共に、多点検知に発展することが期待されており、この目標を達成するために、ＩＴＯの接触区域における検知点の増加を技術的に発展させると共に、その検知点の増加に応じて、対応する導線の数量も増加させる必要がある。
【０００９】
しかしながら、ＩＴＯの接触区域をより大きくするためには、導線の設置範囲が所定の面積に制限される条件下で、多数の導線を設置しなければならないので、導線をより細くしなければならなく、また、従来の基板は、平滑な表面を有するガラスからなるものであり、スパッタリングによる細い導線の基板への形成が難しいことから、導線を基板に付着させても、導線が断裂や脱落する虞があった。
【課題を解決するための手段】
【００１０】
本考案に係る静電容量式タッチパネルは、基板と、粗い表面を備える設置層と、複数の導線とを有し、該設置層は、該基板に形成されると共に、、２つの検知ユニット及び分布区域を有し、その内、該２つの検知ユニットはそれぞれ、異なる軸方向を有し、交差するように設置されると共に、複数の検知点を備え、該複数の導線は、該分布区域に形成され、且つ対応する検知ユニットの検知点に電気接続されるものである。
【００１１】
前記設置層における検知ユニット及び分布区域が酸化インジウムスズ（ＩＴＯ）で構成されることが好ましい。
【００１２】
また、本考案に係る静電容量式タッチパネルは、基板と、粗い表面を備える第一設置層と、粗い表面を備える第二設置層と、導線とを有し、その内、該第一設置層は、該基板の一側に形成されると共に、検知ユニット及び分布区域を有し、該検知ユニットは、軸方向を有すると共に、複数の検知点を備え、該第二設置層は、該基板の他側に形成されると共に、検知ユニット及び分布区域を有し、該検知ユニットは、他の軸方向を有すると共に、複数の検知点を備え、該複数の導線はそれぞれ、設置層の分布区域に設置され、対応する検知ユニットに電気接続されるものであってもよい。
【００１３】
前記第一設置層における検知ユニット及び分布区域が酸化インジウムスズ（ＩＴＯ）で構成されることが好ましい。
【００１４】
前記第二設置層における検知ユニット及び分布区域が酸化インジウムスズ（ＩＴＯ）で構成されることが好ましい。
【００１５】
前記第一設置層及び第二設置層における検知ユニットはそれぞれ、異なる軸方向を有すると共に、交差するように設置されてもよい。
【００１６】
前記第一設置層の検知ユニットと第二設置層の検知ユニットは、一致する軸方向を有すると共に、互いに完全に重層されてもよい。
【００１７】
さらに、本考案に係る静電容量式タッチパネルは、２つの基板と、第一設置層と、第二設置層と、複数の導線とを有し、該第一設置層は、該１つの基板に形成され、検知ユニット及び分布区域を有し、該検知ユニットは、軸方向を有すると共に、複数の検知点を備え、該第二設置層は、該他の基板に形成され、検知ユニット及び分布区域を有し、該検知ユニットは、他の方向を有すると共に、複数の検知点を備え、該複数の導線は、対応する該設置層の分布区域に設置され、且つ対応する該検知ユニットの検知点に電気接続されるものであってもよい。
【００１８】
前記第一設置層の検知ユニット及び分布区域が酸化インジウムスズ（ＩＴＯ）で構成されることが好ましい。
【００１９】
前記第二設置層の検知ユニット及び分布区域が酸化インジウムスズ（ＩＴＯ）で構成されることが好ましい。
【００２０】
前記第一設置層及び第二設置層における検知ユニットはそれぞれ、異なる軸方向を有すると共に、交差するように設置されてもよい。
【００２１】
第一設置層の検知ユニットと第二設置層の検知ユニットは、一致する軸方向を有すると共に、互いに完全に重層されてもよい。
【００２２】
前記２つの設置層の間に絶縁層が設置されても構わない。
【考案の効果】
【００２３】
本考案に係る静電容量式タッチパネルは、分布区域が粗い表面を呈することから、検知ユニットの検知点を増加させるために、導線を細くしても導線を安定的に基板に付着させることができるので、タッチパネルの操作区域を所定の面積に維持できると共に、静電容量式タッチパネルの歩留まりを向上させることができる。
【図面の簡単な説明】
【００２４】
【図１】本考案に係る静電容量式タッチパネルにおいて単層の基板及び単層の設置層を備える実施例を示す平面図である。
【図２】本考案に係る静電容量式タッチパネルにおいてる単層の基板及び単層の設置層を備える実施例を示す側面断面図である。
【図３】本考案に係る静電容量式タッチパネルにおける分布区域及び導線を示す部分拡大側面図。
【図４】本考案に係る静電容量式タッチパネルにおいて単層の基板及び二層の設置層を備える実施例を示す側面断面図である。
【図５】本考案に係る静電容量式タッチパネルにおいて単層の基板及び二層の設置層を備える他の実施例を示す側面断面図である。
【図６】本考案に係る静電容量式タッチパネルにおいて二層の基板及び二層の設置層を備える実施例を示す側面断面図である。
【図７】本考案に係る静電容量式タッチパネルにおいて二層の基板及び二層の設置層を備える他の実施例を示す側面断面図である。
【考案を実施するための形態】
【００２５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２６】
図１及び図２に示すように、本考案に係る静電容量式タッチパネルは、単層の基板１０と、単層の設置層２０と、複数の導線３０とを備えるセルフキャパシタンス型である。
【００２７】
前記基板１０は、ガラス或いはポリエチレンテレフタレート（ＰＥＴ）により構成されるものである。
【００２８】
前記設置層２０は、前記基板１０に形成され、粗い表面を備えると共に、２つの検知ユニット２１、２２及び分布区域２３を有するものである。その内２つの検知ユニット２１、２２はそれぞれ、異なる軸方向を有すると共に、交差するように設置され、更に、複数の検知点２１０、２２０を備え、一方、前記分布区域２３は、該検知ユニット２１、２２の周囲に位置する。また、前記設置層２０は、酸化インジウムスズ（ＩＴＯ）で構成され、石版印刷（ｌｉｔｈｏｇｒａｐｈｙ）及びエッチング（ｅｔｃｈｉｎｇ）などのプロセスを行うことにより構成することができるが、これらのプロセスに限定されるものではない。
【００２９】
図３に示すように、前記複数の導線３０は、前記設置層２０の分布区域２３に形成され、対応する設置層２０の検知点２１０、２２０に電気接続される。尚、前記導線３０は、銀からなってもよく、スクリーン印刷（ｓｒｅｅｎ  ｐｒｉｎｔｉｎｇ）或いは他の方法によって前記分布区域２３に形成されてもよい。
【００３０】
図４に示すように、本考案に係る静電容量式タッチパネルは、単層の基板１０Ａと、粗い表面を備える、第一設置層２０Ａ及び第二設置層２０’Ａと、導線３０Ａとを備えるセルフキャパシタンス型である。
【００３１】
前記基板１０Ａは、ガラス或いはポリエチレンテレフタレート（ＰＥＴ）で構成される。
【００３２】
前記第一設置層２０Ａ及び第二設置層２０’Ａは、前記基板１０Ａの両側表面に形成され、それぞれ２つの検知ユニット２１Ａ、２２Ａ及び分布区域２３Ａを有し、その内、２つの検知ユニット２１Ａ、２２Ａはそれぞれ、異なる軸方向を有すると共に、交差するように設置され、該分布区域２３Ａは、該検知ユニット２１Ａ、２２Ａの周囲に位置し、一方、前記複数の導線３０Ａはそれぞれ、対応する設置層２０Ａ、２０’Ａの分布区域２３Ａに形成されると共に、対応する検知ユニット２１Ａ、２２Ａに電気接続される。尚、前記複数の導線３０Ａは、銀からなってもよく、スクリーン印刷（ｓｒｅｅｎ  ｐｒｉｎｔｉｎｇ）或いは他の方法によって前記分布区域２３Ａに形成されてもよい。
【００３３】
図５に示すように、本考案に係る静電容量式タッチパネルは、単層の基板、二層の設置層、及び複数の導線３０Ｂを備える相互キャパシタンス型であり、その内、第一設置層２０Ｂの検知ユニット２１Ｂと第二設置層２０’Ｂの検知ユニット２２Ｂはそれぞれ、同様の軸方向を有すると共に、お互い完全に重なり合い、一方、前記複数の導線３０Ｂは、分布区域２３Ｂに形成されると共に、対応する検知ユニット２１Ｂ、２２Ｂに電気接続される。
【００３４】
図６に示すように、本考案に係る静電容量式タッチパネルは、基板１０Ｃと、粗い表面を有する、第一設置層２０Ｃ及び第二設置層２０’Ｃと、複数の導線３０Ｃとを有し、且つ二層の該基板１０Ｃ及び二層の該設置層２０Ｃ、２０’Ｃを備えるセルフキャパシタンス型である。
【００３５】
前記第一設置層２０Ｃ及び第二設置層２０’Ｃはそれぞれ、２つの基板１０Ｃに形成され、はそれぞれ、検知ユニット２１Ｃ、２２Ｃ及び分布区域２３Ｃを有し、その内、２つの検知ユニット２１Ｃ、２２Ｃはそれぞれ、異なる軸方向を有すると共に、交差するように設置され、更に複数の検知点２１０Ｃ、２２０Ｃを備え、一方、該分布区域２３Ｃは、該検知ユニット２１Ｃ、２２Ｃの周囲に位置する。
【００３６】
前記複数の導線３０Ｃは、前記設置層２０Ｃ、２０’Ｃの分布区域２３Ｃに形成され、対応する検知ユニット２１Ｃ、２２Ｃに電気接続される。
【００３７】
本考案に係る、図７に示す静電容量式タッチパネルは、二層の基板、二層の設置層、及び複数の導線３０Ｄを備える相互キャパシタンス型であり、その内、第一設置層２０Ｄの検知ユニット２１Ｄと第二設置層２０’Ｄの検知ユニット２２Ｄはそれぞれ、同様の軸方向を有すると共に、お互い完全に重層され、一方、複数の導線３０Ｄは、分布区域２３Ｄに形成されると共に、対応する検知ユニット２１Ｄ、２２Ｄ）に電気接続される。
【００３８】
上述したように、二層の基板を有するセルフキャパシタンス型の静電容量式タッチパネルは、その設置層２０Ｃ、２０’Ｃの間に、干渉を防ぐために、さらに絶縁層１００が設置され、また、二層の基板を有する二層の相互キャパシタンス型の静電容量式タッチパネルは、その設置層２０Ｄ、２０’Ｄの間に、干渉を防ぐために、さらに絶縁層１００が設置される。
【００３９】
上述したように、本考案に係る静電容量式タッチパネルにおける分布区域２３、２３Ａ、２３Ｂ、２３Ｃ、２３Ｄは、粗い表面を有することから、検知ユニット２１、２２、２１Ａ、２２Ａ、２１Ｂ、２２Ｂ、２１Ｃ、２２Ｃ、２１Ｄ、２２Ｄの検知点２１０、２２０、２１０Ｃ、２２０Ｃ、２１０Ｄ、２２０Ｄを増加するために、導線３０、３０Ａ、３０Ｂ、３０Ｃ、３０Ｄを細くても、導線を安定的に基板に付着させることができ、この方法によれば、タッチパネルの操作区域を所定の面積に維持できると共に、静電容量式タッチパネルの歩留まりを向上させることができる。
【符号の説明】
【００４０】
１０、１０Ａ、１０Ｃ    基板
２０    設置層
２０Ａ、２０Ｂ、２０Ｃ、２０Ｄ    第一設置層
２０’Ａ、２０’Ｂ、２０’Ｃ、２０’Ｄ    第二設置層
２１、２２、２１Ａ、２２Ａ、２１Ｂ、２２Ｂ、２１Ｃ、２２Ｃ、２１Ｄ、２２Ｄ    検知ユニット
２３、２３Ａ、２３Ｂ、２３Ｃ、２３Ｄ    分布区域
３０、３０Ａ、３０Ｂ、３０Ｃ、３０Ｄ    導線
１００    絶縁層
２１０、２２０、２１０Ｃ、２２０Ｃ    検知点
【図１】
0003171702.tif 000003
【図２】
0003171702.tif 000004
【図３】
0003171702.tif 000005
【図４】
0003171702.tif 000006
【図５】
0003171702.tif 000007
【図６】
0003171702.tif 000008
【図７】
0003171702.tif 000009